(57)【要約】【課題】本発明は、第１に、患者や被験者に対して服薬を正確にアラーム告知することができ、第２に治験薬の分野において正確な服薬実績情報を入手することができ、適正な治験計画を立てることが可能な服薬アラームシステムの提供を課題とする。  【解決手段】例えば調剤薬の分野におて、患者Ａは管理サーバ２から自己の携帯情報端末１に服薬プログラムをダウンロードしたあと、調剤薬の指導箋３に掲載されているＱＲコード４を撮影により読み取る。ＱＲコード４には薬の種類、用法、用量、剤形などに関する服薬情報が含まれており、服薬プログラムにより該服薬情報に基づいて所定の時間にアラーム画面を起動して、服薬をアラーム告知する。【選択図】図１
2009125386.tif 000002
【特許請求の範囲】
【請求項１】
患者の携帯情報端末と管理サーバとがネットワークを介して接続され、患者に対して調剤薬に関する服薬をアラーム告知する服薬アラームシステムであって、
患者の前記携帯情報端末は、前記管理サーバから所定の服薬プログラムをダウンロードするとともに、調剤薬局等で発行された指導箋に掲載されている服薬情報コードを内蔵のコード読取装置により読み取り、前記服薬プログラムにより該服薬情報コードに含まれる服薬情報に基づいて所定の時間になったときに音声又は振動で服薬をアラーム告知することを特徴とする服薬アラームシステム。
【請求項２】
患者の携帯情報端末と管理サーバとがネットワークを介して接続され、患者に対して市販薬に関する服薬をアラーム告知する服薬アラームシステムであって、
患者の前記携帯情報端末は、前記管理サーバから所定の服薬プログラムをダウンロードするとともに、市販薬の外箱又は添付文書に掲載されている識別コードを内蔵のコード読取装置により読み取り、前記管理サーバにアクセスして該識別コードに対応する服薬情報をダウンロードし、前記服薬プログラムにより該服薬情報に基づいて所定の時間になったときに音声又は振動で服薬をアラーム告知することを特徴とする服薬アラームシステム。
【請求項３】
被験者の携帯情報端末と、被験者の情報端末とネットワークを介して接続された管理サーバと、管理サーバと直接又はネットワークを介して接続された薬アラームデータベースとを備え、被験者に対して治験薬に関する服薬をアラーム告知する服薬アラームシステムであって、
被験者の前記携帯情報端末は、前記管理サーバから所定の服薬プログラムをダウンロードするとともに、治験薬の処方箋に掲載されている識別コードを内蔵の読取装置により読み取り、前記管理サーバにアクセスして該識別コードに対応する服薬情報をダウンロードし、前記プログラムにより該服薬情報に基づいて所定の時間になったときに音声又は振動で服薬をアラーム告知することを特徴とする服薬アラームシステム。
【請求項４】
被験者の前記携帯情報端末は、被験者の服薬実績情報が入力され、該服薬実績情報を前記管理サーバに送信し、該管理サーバは該服薬実績情報を該当する被験者と関連付けながら薬アラームデータベースに記憶させる請求項３に記載の服薬アラームシステム。
【請求項５】
患者または被験者の前記携帯情報端末は、患者または被験者の朝食、昼食、夕食の時間に関する情報が入力されるものである請求項１ないし請求項４のいずれかに記載の服薬アラームシステム。
【請求項６】
患者または被験者の前記携帯情報端末は、待ち受け画面に次回の薬の服薬時間または検査日が表示される請求項１ないし請求項５のいずれかに記載の服薬アラームシステム。
【請求項７】
患者または被験者の前記携帯情報端末は、待ち受け画面に服薬履歴および／または薬がなくなる日が表示される請求項１ないし請求項６のいずれかに記載の服薬アラームシステム。
【請求項８】
患者または被験者の前記携帯情報端末は、患者または被験者の症状に効く料理の作り方やサプリメントなどに関する情報が表示される請求項１ないし請求項７のいずれかに記載の服薬アラームシステム。
【請求項９】
患者または被験者の前記携帯情報端末は、識別コードの読み取り時に薬の期限が切れていた場合、エラーを発生や連絡先が表示される請求項１ないし請求項８のいずれかに記載の服薬アラームシステム。
【発明の詳細な説明】
【技術分野】
【０００１】
本発明は、調剤薬、市販薬、あるいは治験薬に関する服薬をアラーム告知するための服薬アラームシステムに関する。
【背景技術】
【０００２】
一般に、調剤薬の場合、患者が医師から出された処方箋を調剤薬局に持っていくと、調剤薬局の薬剤師により処方箋に基づいた調剤薬が出される。その際、患者は調剤薬に関して服薬の時間、頻度、錠数などの指導を受け、それに基づいて調剤薬の服薬を行う。
【０００３】
また、市販薬の場合、患者は薬局やドラッグストアにおいて市販薬を購入し、主に外箱や添付文書に記載されている服薬の時間、頻度、錠数などの情報に基づいて、市販薬の服薬を行う。
【０００４】
また、治験薬の場合、被験者は製薬会社などから治験薬と処方箋を渡され、その際に
治験薬に関して服薬の時間、頻度、錠数などの指導を受けたり、治験薬に添付の処方箋に記載されている服薬の時間、頻度、錠数などの情報に基づいて、治験薬の服薬を行う。
【０００５】
しかしながら、患者および被験者は、最初の数回は服薬のことを覚えているのであるが、２，３日もすると服薬のことを忘れてしまう場合が多かった。これは一般の患者および被験者は服薬の習慣がないためであり、従来はあくまでも患者および被験者の注意に頼るほかなかった。
【０００６】
特に治験薬の場合には、被験者が治験薬を正確に服用しなければ、製薬会社としては正確な服薬実績を入手することができず、治験計画に支障をきたすおそれもあり、被験者の個人的な問題にとどまらなかった。
【０００７】
一方、近年では、通信技術やインターネットの普及に伴って、高機能の携帯情報端末が登場している。例えば、携帯電話をインターネットを介して所定のＷｅｂサーバにアクセスしてアプリ等の所定のプログラムをダウンロードして、携帯電話にてゲームができるなどの高機能化が進んでいる。
【０００８】
また、最近の携帯電話にはカメラ装置が内蔵されており、雑誌やポスターなどに掲載されているＱＲコード（登録商標）を読み取り、該ＱＲコードに基づいて所定の情報を取得したり、あるいは所定のＷｅｂサーバにアクセスしたりすることも行われている。
【発明の開示】
【発明が解決しようとする課題】
【０００９】
本発明は、上述の問題および技術的背景に鑑みてなされたものであって、第１に、患者や被験者に対して服薬を正確にアラーム告知することができ、第２に治験薬の分野において正確な服薬実績情報を入手することができ、適正な治験計画を立てることが可能な服薬アラームシステムの提供を課題とする。  
【課題を解決するための手段】
【００１０】
本発明は、上記課題を解決するために、患者の携帯情報端末と管理サーバとがネットワークを介して接続され、患者に対して調剤薬に関する服薬をアラーム告知する服薬アラームシステムであって、患者の前記携帯情報端末は、前記管理サーバから所定の服薬プログラムをダウンロードするとともに、調剤薬局等で発行された指導箋に掲載されている服薬情報コードを内蔵のコード読取装置により読み取り、前記服薬プログラムにより該服薬情報コードに含まれる服薬情報に基づいて所定の時間になったときに音声又は振動で服薬をアラーム告知することを特徴とする。これによれば、調剤薬の分野において、患者に対して服薬を正確にアラーム告知することができる。
【００１１】
また、本発明は、患者の携帯情報端末と管理サーバとがネットワークを介して接続され、患者に対して市販薬に関する服薬をアラーム告知する服薬アラームシステムであって、
【００１２】
患者の前記携帯情報端末は、前記管理サーバから所定の服薬プログラムをダウンロードするとともに、市販薬の外箱又は添付文書に掲載されている識別コードを内蔵のコード読取装置により読み取り、前記管理サーバにアクセスして該識別コードに対応する服薬情報をダウンロードし、前記服薬プログラムにより該服薬情報に基づいて所定の時間になったときに音声又は振動で服薬をアラーム告知することを特徴とする。これによれば、市販薬の分野において、患者に対して服薬を正確にアラーム告知することができる。
【００１３】
また、本発明は、被験者の携帯情報端末と、被験者の情報端末とネットワークを介して接続された管理サーバと、管理サーバと直接又はネットワークを介して接続された薬アラームデータベースとを備え、被験者に対して治験薬に関する服薬をアラーム告知する服薬アラームシステムであって、被験者の前記携帯情報端末は、前記管理サーバから所定の服薬プログラムをダウンロードするとともに、治験薬の処方箋に掲載されている識別コードを内蔵の読取装置により読み取り、前記管理サーバにアクセスして該識別コードに対応する服薬情報をダウンロードし、前記プログラムにより該服薬情報に基づいて所定の時間になったときに音声又は振動で服薬をアラーム告知することを特徴とする。これによれば、治験薬の分野において、被験者に対して服薬を正確にアラーム告知することができる。
【００１４】
また、被験者の前記携帯情報端末は、被験者の服薬実績情報が入力され、該服薬実績情報を前記管理サーバに送信し、該管理サーバは該服薬実績情報を該当する被験者と関連付けながら薬アラームデータベースに記憶させるのが好ましい。これによれば、治験薬の分野において正確な服薬実績情報を入手することができ、適正な治験計画を立てることが可能となる。
【００１５】
また、患者または被験者の前記携帯情報端末は、患者または被験者の朝食、昼食、夕食の時間に関する情報が入力されるものであるのが好ましい。これによれば患者または被験者の朝食、昼食、夕食の時間に関する情報が入力されることによって、食前、食間、食後の服薬を正確にアラーム告知することができる。
【００１６】
また、患者または被験者の前記携帯情報端末は、待ち受け画面に次回の薬の服薬時間または検査日が表示されるのが好ましい。これによれば、患者または被験者は、次回の服薬時間や検査日を常時確認することができ便利である。
【００１７】
また、患者または被験者の前記携帯情報端末は、待ち受け画面に服薬履歴および／または薬がなくなる日が表示されるのが好ましい。これによれば患者または被験者は服薬履歴や薬がなくなる日を常時確認することができ便利である。
【００１８】
また、患者または被験者の前記携帯情報端末は、患者または被験者の症状に効く料理の作り方やサプリメントなどに関する情報が表示されるのが好ましい。これによれば患者または被験者は症状に効く料理の作り方やサプリメントを知ることができ便利である。
【００１９】
また、患者または被験者の前記携帯情報端末は、識別コードの読み取り時に薬の期限が切れていた場合、エラーを発生や連絡先が表示されるのが好ましい。これによれば患者または被験者は薬の期限を把握することができ、期限切れの薬の誤飲を防止することができる。
【発明の効果】
【００２０】
本発明によれば、調剤薬、市販薬、および治験薬の各分野において、患者者または被験者に対して服薬を正確にアラーム告知することができる。特に治験薬の分野においては、正確な服薬実績情報を入手することができ、適正な治験計画を立てることが可能となる。しかも、患者や被験者に対するアラーム告知を電子メールで行うのではなく服薬プログラムで行うため、メール配信により遅延することも、Ｗｅｂシステムによる表示の際に電波状態によって可用性が低下することを防止できる。
【発明を実施するための最良の形態】
【００２１】
［実施形態１］
次に、本発明を調剤薬に適用した一実施形態について図１〜図６を参照しつつ説明する。
【００２２】
図１は、本実施形態に係る服薬アラームシステム（以下、本システムという）の構成概略図である。
【００２３】
本システムは、患者（Ａ）の携帯情報端末（１）と管理サーバ（２）とがインターネットを介して接続され、患者（Ａ）に対して調剤薬に関する服薬をアラーム告知するものとなされている。
【００２４】
前記患者（Ａ）の携帯情報端末（１）は、主にインターネット等に接続可能な携帯電話端末、ＰＤＡ、その他携帯型の情報端末であり、患者（Ａ）が携帯しながらいつでもアラーム告知できるものがよい。
【００２５】
この携帯情報端末（１）は、図２に示すように、各部を統括的に制御する制御部（１０１）と、インターネットを介して前記管理サーバ（２）に接続したりする番号ボタン等からなる操作部（１０２）と、各種画像を撮影可能な内蔵のカメラ部（１０３）と、インターネットに接続するための通信部（１０４）と、各種画面を表示する表示部（１０５）と、服薬プログラム、服薬情報、およびその他の各種プログラムを記憶するためのＨＤＤ（１０６）とを備えてなる。
【００２６】
なお、本実施形態ではＨＤＤ（１０６）としているが、その他の端末内のメモリ、あるいは端末に取り付け可能なメモリーカード等であってもよい。
【００２７】
患者（Ａ）は、操作部より自己の携帯情報端末（１）を操作することにより、インターネットを介して管理サーバ（２）に接続し、該管理サーバ（２）から本システムに用いる服薬プログラムをダウンロードする。ダウンロードされた服薬プログラムは前記ＨＤＤ（１０６）に記憶されたあと、制御部（１０１）により適宜起動されて後述のアラーム告知を実行するものとなされている。
【００２８】
また、患者（Ａ）は、医師から出された処方箋を調剤薬局に持っていくと、調剤薬局の薬剤師により処方箋に基づいた調剤薬と指導箋（３）が出される。この指導箋（３）には、指導箋ＮＯ、患者イニシャル、おくすりの種類、用法、容量、剤形がそれぞれ記載されるとともに、ＱＲコード（４）が掲載されている。
【００２９】
このＱＲコード（４）は、図６に示すように、指導箋ＮＯ、患者（Ａ）イニシャル、くすりの種類、用法、容量、剤形に関する服薬情報が含まれている。くすりの種類が複数の場合には、「おくすり１」「おくすり２」…として各薬ごとの情報が含まれる。このＱＲコード（４）は、調剤薬局などに設置された図示略のパソコンに患者（Ａ）の情報や薬の情報を入力すると、該パソコンに接続された図示略のプリンタから印刷される。
【００３０】
而して、患者（Ａ）が、自己の携帯情報端末（１）によりカメラ部（１０３）からＱＲコード（４）を撮影すると、ＱＲコード（４）に関する服薬情報が携帯情報端末（１）内のＨＤＤ（１０６）に記憶される。
【００３１】
そして、前記服薬プログラムは、該服薬情報に基づいて所定の時間になったときに、図４に示すように、薬の種類、用法、容量、容量、剤形などからなるアラーム画面を表示部（１０５）に表示せしめたり、さらには警告音を出力せしめて、患者（Ａ）に対して服薬のアラーム告知を実行する。
【００３２】
あとは、患者（Ａ）はアラーム画面に表示されている服薬情報を閲覧しながら所定の薬を所定量だけ服薬する。
【００３３】
なお、前記携帯情報端末（１）は、図４に示すように、患者または被験者の朝食、昼食、夕食の時間に関する情報が入力されるものであってもよい。これによれば患者または被験者の朝食、昼食、夕食の時間に関する情報が入力されることによって、食前、食間、食後の服薬を正確にアラーム告知することができる。
【００３４】
また、前記携帯情報端末（１）は、図５に示すように、表示部（１０５）の待ち受け画面に服薬履歴や次回の服用時間が表示されてもよい。これによれば患者（Ａ）は、自己の服薬履歴や次回の服用時間を常時把握することができ便利である。
【００３５】
また、ＱＲコード（４）の読み取り時に薬の期限が切れていた場合、エラーを発生、連絡先を表示するのが好ましい。これによれば患者（Ａ）は薬の期限を把握することができ、期限切れの薬の誤飲を防止することができる。
［実施形態２］
【００３６】
次に、本発明を市販薬に適用した一実施形態について主に図７〜図９を参照しつつ説明する。
【００３７】
図７は、本実施形態に係る服薬アラームシステム（以下、本システムという）の構成概略図である。
【００３８】
本システムは、患者（Ａ）の携帯情報端末（１）と、管理サーバ（２）、服薬情報データベース（８）とがネットワークを介して接続され、患者（Ａ）に対して市販薬に関する服薬をアラーム告知するものとなされている。
【００３９】
前記携帯情報端末（１）は、図２に示すものと同様である。患者（Ａ）は、操作部（１０１）より自己の携帯情報端末（１）を操作することにより、インターネットを介して管理サーバ（２）に接続し、該管理サーバ（２）から本システムに用いる服薬プログラムをダウンロードする。ダウンロードされた服薬プログラムは前記ＨＤＤ（１０６）に記憶されて、制御部（１０１）により適宜起動されて後述のアラーム告知を実行するものとなされている。
【００４０】
前記管理サーバ（２）は、携帯情報端末（１）に対して服薬プログラムを送信したり、服薬情報データベース（８）にある服薬情報を送信したりする。この服薬情報データベース（８）は、各市販薬のＪＡＮコードとそれに対応する服薬情報とを互いに関連付けながら記憶している。服薬情報には、各市販薬に関する薬名、方法、用量、剤形などが含まれる。
【００４１】
一方、患者（Ａ）は薬局やドラッグストアにおいて市販薬を購入し、主に外箱（５）や添付文書（６）に記載されている服薬の時間、頻度、錠数などの服薬情報に基づいて、市販薬の服薬を行う。しかしながら、患者（Ａ）は、最初の数回は服薬のことを覚えているのであるが、２，３日もすると服薬のことを忘れてしまう場合が多いため、本システムが利用される。
【００４２】
市販薬の外箱（５）または添付文書（６）には一般にＪＡＮコード（７）と呼ばれる識別コードが掲載されている。このＪＡＮコード（７）は、日本で最も普及している商品識別コードであり、ＪＡＮコード（７）から生成されたバーコードシンボルは市販される多くの商品に印刷または貼付されており、ＰＯＳシステムや在庫管理、受発注システムなどで価格や商品名を検索するためのキーとして使われる。また、ＪＡＮコード（７）の前に１桁あるいは拡張型として０で始まる３桁の物流識別用の数字を付加したものは集合包装用コード、あるいはバーコードシンボルの体系をそのまま呼称に利用して、ＩＴＦコードと呼ばれる。
【００４３】
而して、患者（Ａ）が、自己の携帯情報端末（１）によりカメラ部（１０３）からＪＡＮコード（７）を撮影すると、携帯情報端末（１）がＪＡＮコード（７）を管理サーバ（２）に送信して、該ＪＡＮコード（７）の市販薬に対応する服薬情報を服薬情報データベース（８）からダウンロードして、携帯情報端末（１）内のＨＤＤ（１０６）に記憶される。
【００４４】
そして、前記服薬プログラムは、該服薬情報に基づいて所定の時間になったときに、図３に示すように、薬の種類、用法、容量、容量、剤形などからなるアラーム画面を表示部に表示せしめたり、さらには警告音を出力せしめて、患者（Ａ）に対して服薬のアラーム告知を実行する。
【００４５】
あとは、患者（Ａ）はアラーム画面に表示されている服薬情報を参考にしながら所定の薬を所定量だけ服薬する。
【００４６】
なお、前記携帯情報端末（１）は、図８に示すように、注意情報のほか、市販薬のコールセンターなどの相談窓口への連絡先などが掲載された画面を表示してもよい。
【００４７】
また、前記携帯情報端末（１）は、図９に示すように、患者の症状に効く料理の作り方やサプリメントなどの情報が掲載された画面を表示してもよい。これによれば、患者または被験者は症状に効く料理の作り方やサプリメントを知ることができ便利である。
［実施形態３］
【００４８】
次に、本発明を治験薬に適用した一実施形態について主に図１０〜図１４を参照しつつ説明する。
【００４９】
図１０は、本実施形態に係る服薬アラームシステム（以下、本システムという）の構成概略図である。
【００５０】
本システムは、被験者（Ｂ）の携帯情報端末（１）と、被験者（Ｂ）の情報端末とネットワークを介して接続された管理サーバ（２）と、管理サーバ（２）に接続されたデータベースサーバ（１１）と、薬アラームデータベース（１２）とを備え、被験者（Ｂ）に対して治験薬に関する服薬をアラーム告知する。
【００５１】
前記携帯情報端末（１）は、図２に示すものと同様である。患者（Ａ）は、操作部（１０２）より自己の携帯情報端末（１）を操作することにより、インターネットを介して管理サーバ（２）に接続し、該管理サーバ（２）から本システムに用いる服薬プログラムをダウンロードする。ダウンロードされた服薬プログラムは前記ＨＤＤ（１０６）に記憶されて、制御部（１０１）により適宜起動されて後述のアラーム告知を実行するものとなされている。
【００５２】
前記管理サーバ（２）は、携帯情報端末（１）に対して服薬プログラムを送信したり、薬アラームデータベースにある服薬情報を送信したりする。また、管理サーバ（２）は、携帯情報端末（１）から送信されてきた服薬実績情報を受信して、データベースサーバ（１１）を介して薬アラームデータベース（１２）に送信したりする。
【００５３】
前記薬アラームデータベース（１２）は、各被験者（Ｂ）とそれに対応する服薬情報とを互いに関連付けながら記憶している。服薬情報には、被験者（Ｂ）の治験薬に関する薬名、用法、用量、剤形などが含まれる。また、薬アラームデータベース（１２）は、被験者（Ｂ）の服薬実績情報を各被験者（Ｂ）に関連付けながら記憶するものとなされている。
【００５４】
また、前記薬アラームデータ（１２）は本システム外の治験実施計画データベース（１３）に接続されている。この治験実施計画データベース（１３）は、製薬会社の開発部における各治験薬の計画に関するデータベースであり、被験者（Ｂ）の服薬情報を薬アラームデータベース（１２）に送信したり、被験者（Ｂ）の服用実績情報を薬アラームデータベース（１２）から受信したりする。
【００５５】
一方、被験者（Ｂ）は、製薬会社などから治験薬と処方箋（９）を渡され、その際に治験薬に関して服薬の時間、頻度、錠数などの指導を受けたり、治験薬に添付の処方箋（９）に記載されている服薬の時間、頻度、錠数などの情報に基づいて、治験薬の服薬を行う。しかしながら、被験者（Ｂ）は、最初の数回は服薬のことを覚えているのであるが、２，３日もすると服薬のことを忘れてしまう場合が多いため、本システムが利用される
【００５６】
処方箋（９）にはＱＲコード（１０）と呼ばれる識別コードが掲載されている。このＱＲコード（１０）は、図１１に示すように、管理サーバ（２）に接続するためのＵＲＬ情報、処方箋コード、治験ＮＯ．に関する情報が含まれている。このＱＲコード（１０）は、製薬会社等に設置された図示略のパソコンに患者（Ａ）の情報や薬の情報を入力すると、該パソコンに接続された図示略のプリンタから印刷される。
【００５７】
而して、被験者（Ｂ）が、自己の携帯情報端末（１）によりカメラ部（１０２）からＱＲコードを撮影すると、携帯情報端末（１）がＱＲコードを管理サーバ（２）に送信して、該ＱＲコード（１０）の被験者（Ｂ）に対応する服薬情報をダウンロードして、携帯情報端末（１）内のＨＤＤ（１０６）に記憶される。
【００５８】
そして、前記服薬プログラムは、該服薬情報に基づいて所定の時間になったときに、図１２に示すように、薬の種類、用法、用量、剤形などからなる服薬情報画面を表示部（１０５）に表示せしめたり、さらには警告音を出力せしめて、患者（Ａ）に対して服薬のアラーム告知を実行する。
【００５９】
このあと、患者（Ａ）は服薬情報画面に表示されている服薬情報を参考にしながら所定の薬を所定量だけ服薬する。
【００６０】
また、前記服薬プログラムは、服用実績を入力するための画面を表示部（１０５）に表示させる。例えば、図１３に示すように、被験者（Ｂ）が服薬したあとに副作用があったかどうかを入力できるようになっており、それらの服用実績情報を管理サーバ（２）に送信するものとなされている。この服用実績情報は、携帯情報端末（１）から管理サーバ（２）に送信されたあと、薬アラームデータベース（１２）に該当する被験者（Ｂ）に関連付けられながら記憶される。薬アラームデータベース（１２）に記憶された服薬実績情報は適宜治験計画データベース（１３）に送信されて、製薬会社の開発部の治験計画に用いられる。
【００６１】
なお、服用実績情報は入力ごとに送信されるものであってもよいし、あるいは一定時間ごとにまとめて送信されるものであってもよい。また、電波状態が悪いために服用実績情報が送信できなかった場合、次回のアラーム時にまとめて送信するようにしてもよい。
【００６２】
また、前記携帯情報端末（１）は、図１４に示すように、前記服薬プログラムにより治験薬に関する情報を例えば「くすりのしおり」として表示部（１０５）に表示させるものであってもよい。
【００６３】
なお、上記いずれの実施形態についても、識別コードとしてＱＲコードやバーコード（ＪＡＮコード）を用い、かつコード読取装置としてカメラ部を用いたが、これに限定されるものではなく、例えば識別コードとしてＩＣタグを用い、かつコード読取装置としてＩＣ読取装置を用いるなどしてもよい。
【産業上の利用可能性】
【００６４】
本発明は、調剤薬、市販薬、治験薬の分野において適用可能であり、特に治験薬の分野においては被験の服用実績を入手することができ適正な治験計画に適用可能である。
【図面の簡単な説明】
【００６５】
【図１】第１実施形態に係る本システムの構成概略図である。
【図２】携帯情報端末の機能を示すブロック図である。
【図３】アラーム画面の一例を示す図である。
【図４】朝食時間等の入力画面の一例を示す図である。
【図５】服薬履歴等の表示画面の一例を示す図である。
【図６】ＱＲコードに含まれる服薬情報のテーブル図である。
【図７】第２実施形態に係る本システムの構成概略図である。
【図８】相談窓口等の連絡先の表示画面の一例を示す図である。
【図９】レシピ等の表示画面の一例を示す図である。
【図１０】第３実施形態に係る本システムの構成概略図である。
【図１１】ＱＲコードに含まれる情報を示す図である。
【図１２】アラーム画面の一例を示す図である。
【図１３】服薬実績情報の入力画面の一例を示す図である。
【図１４】くすりのしおりの表示画面の一例を示す図である。
【符号の説明】
【００６６】
１・・・携帯情報端末
２・・・管理サーバ
３・・・指導箋
４・・・ＱＲコード
【図１】
2009125386.tif 000003
【図２】
2009125386.tif 000004
【図３】
2009125386.tif 000005
【図４】
2009125386.tif 000006
【図５】
2009125386.tif 000007
【図６】
2009125386.tif 000008
【図７】
2009125386.tif 000009
【図８】
2009125386.tif 000010
【図９】
2009125386.tif 000011
【図１０】
2009125386.tif 000012
【図１１】
2009125386.tif 000013
【図１２】
2009125386.tif 000014
【図１３】
2009125386.tif 000015
【図１４】
2009125386.tif 000016